【手続補正書】
【提出日】平成30年1月24日(2018.1.24)
【手続補正１】
【補正対象書類名】特許請求の範囲
【補正対象項目名】全文
【補正方法】変更
【補正の内容】
【特許請求の範囲】
【請求項１】
照明器を患者内の外科手術野に調節可能に位置付けるための照明システムであって、前記システムは、
前記患者と取り外し可能に結合されるように構成されるアンカ要素と、
照明要素であって、前記照明要素は、前記アンカ要素に結合される、照明要素と
を含み、
前記アンカ要素または前記照明要素は、前記患者または隣接する外科手術器材と結合、結合解除、および再結合されるように構成され、それによって、隣接する外科手術器具に干渉せずに、前記外科手術野内の複数の位置における前記照明要素の再位置付けを可能にし、さらに、前記外科手術野内の照明の調節を可能にする、システム。
【請求項２】
前記アンカ要素は、前記患者または前記隣接する外科手術器材に取り外し可能に結合されるように構成される第１の側を有する、請求項１に記載のシステム。
【請求項３】
前記第１の側は、前記アンカ要素を前記患者またはそれに隣接する外科手術器材に取り外し可能に取り付けるように構成される接着剤を含む、請求項２に記載のシステム。
【請求項４】
前記接着剤は、テープを含む、請求項３に記載のシステム。
【請求項５】
前記アンカ要素は、前記照明要素に取り外し可能に結合される、請求項１に記載のシステム。
【請求項６】
前記アンカ要素は、フックまたはループ要素を含み、前記照明要素は、前記アンカ要素上のフックまたはループ要素と取り外し可能に結合するためのフックまたはループ要素を含む、請求項１に記載のシステム。
【請求項７】
前記アンカ要素は、前記患者または前記隣接する外科手術器材と取り外し可能に結合するためのクリップまたはフックを含む、請求項１に記載のシステム。
【請求項８】
前記アンカ要素または前記照明要素は、前記アンカ要素または前記照明要素の他方と取り外し可能に結合するための磁石を含む、請求項１に記載のシステム。
【請求項９】
前記アンカ要素は、前記照明要素と取り外し可能に結合するための１つまたは複数のフックを含む、請求項１に記載のシステム。
【請求項１０】
前記アンカ要素は、ループを形成し、前記ループは、少なくとも部分的に、前記患者内の切開を包囲するように構成される、請求項１に記載のシステム。
【請求項１１】
開創器ブレードを有する外科手術開創器をさらに含み、前記アンカ要素は、前記外科手術開創器ブレードに取り付けられていない、請求項１に記載のシステム。
【請求項１２】
前記照明要素は、前記外科手術開創器に接触せずに、前記外科手術野内に配置されるように構成される、請求項１１に記載のシステム。
【請求項１３】
前記照明要素は、ＬＥＤ、ＯＬＥＤ、光ファイバケーブル、または非光ファイバ光学導波管である、請求項１に記載のシステム。
【請求項１４】
前記照明要素は、その遠位端に隣接する組織係合要素を含み、前記組織係合要素は、前記照明要素の遠位端を前記外科手術野内の組織に係留するように構成される、請求項１に記載のシステム。
【請求項１５】
前記組織係合要素は、フックまたは返しを含む、請求項１４に記載のシステム。
【請求項１６】
前記組織係合要素は、前記照明要素に取り外し可能に結合される、請求項１４に記載のシステム。
【請求項１７】
前記照明要素または前記アンカ要素に結合される撮像要素をさらに含み、前記撮像要素は、前記外科手術野の画像を提供するように構成される、請求項１に記載のシステム。
【請求項１８】
前記照明要素上またはその中に、煙または有害煙霧を前記外科手術野から除去するように構成される吸引要素をさらに含む、請求項１に記載のシステム。
【請求項１９】
照明器を患者内の外科手術野に調節可能に位置付けるための照明システムであって、前記システムは、
近位部分および遠位部分を有する後方遮蔽体と、
その近位部分に隣接する後方遮蔽体に結合されるアンカ要素であって、前記アンカ要素は、前記患者または隣接する外科手術器材に取り付けられるように構成される、アンカ要素と、
前記後方遮蔽体に結合される照明要素であって、前記照明要素は、前記外科手術野を照明するように構成される、照明要素と
を含む、システム。
【請求項２０】
前記後方遮蔽体の遠位部分に隣接する組織アンカ要素をさらに含み、前記組織アンカ要素は、前記外科手術野内の組織に係合するように構成される、請求項１９に記載のシステム。
【請求項２１】
前記組織アンカ要素は、前記後方遮蔽体の遠位部分に取り外し可能に結合される、請求項２０に記載のシステム。
【請求項２２】
前記アンカ要素は、前記後方遮蔽体の近位部分に調節可能に結合されるストラップであって、前記患者または隣接する外科手術器材に取り外し可能に結合されるように構成される、ストラップを含む、請求項１９に記載のシステム。
【請求項２３】
前記ストラップは、前記後方遮蔽体に固定して結合される、請求項２２に記載のシステム。
【請求項２４】
前記遠位部分は、開放チャネルを形成する一対のウィングを含み、前記チャネルは、前記照明要素を受容するようなサイズにされる、請求項１９に記載のシステム。
【請求項２５】
前記近位部分の近傍に配置されるランプ要素をさらに含み、前記ランプ要素は、牽引力がそこに印加されるとき、後方遮蔽体の片持ち支持が前記外科手術野から外向きに離れないよう防止するように構成される、請求項１９に記載のシステム。
【請求項２６】
前記ストラップは、前記後方遮蔽体の最近位端部に結合される、請求項１９に記載のシステム。
【請求項２７】
前記ストラップは、前記ストラップと前記患者を結合するための接着剤を備えた領域を含む、請求項１９に記載のシステム。
【請求項２８】
前記ストラップは、前記ストラップと前記患者または前記隣接する外科手術器材を結合するためのフックおよびループ締結具を備えた領域を含む、請求項１９に記載のシステム。
【請求項２９】
前記ストラップの遠位部分は、それ自体に重複し、重複領域を形成する、請求項１９に記載のシステム。
【請求項３０】
前記重複領域内のストラップは、それ自体に取り外し可能に結合される、請求項２９に記載のシステム。
【請求項３１】
前記重複領域内のストラップは、それ自体に固定して結合される、請求項２９に記載のシステム。
【請求項３２】
前記患者または前記隣接する外科手術器材に結合されるパッドをさらに含み、前記パッドは、前記ストラップまたは前記後方遮蔽体にも結合される、請求項１９に記載のシステム。
【請求項３３】
前記照明要素または前記アンカ要素に結合される撮像要素をさらに含み、前記撮像要素は、前記外科手術野の画像を提供するように構成される、請求項１９に記載のシステム。
【請求項３４】
前記照明要素上またはその中に、煙または有害煙霧を前記外科手術野から除去するように構成される吸引要素をさらに含む、請求項１９に記載のシステム。
【手続補正２】
【補正対象書類名】明細書
【補正対象項目名】００２９
【補正方法】変更
【補正の内容】
【００２９】
これらおよび他の実施形態が、添付図面に関係する以下の説明でさらに詳細に説明される。
本発明は、例えば、以下を提供する。
（項目１）
照明器を患者内の外科手術野に調節可能に位置付けるための照明システムであって、
前記患者と取り外し可能に結合されるように構成される、アンカ要素と、
照明要素であって、前記アンカ要素に結合される、照明要素と、
を含み、前記アンカ要素または前記照明要素は、前記患者または隣接する外科手術器材と結合、結合解除、および再結合されるように構成され、それによって、隣接する外科手術器具に干渉せずに、前記外科手術野内の複数の位置における前記照明要素の再位置付けを可能にし、さらに、前記外科手術野内の照明の調節を可能にする、システム。
（項目２）
前記アンカ要素は、前記患者または前記隣接する外科手術器材に取り外し可能に結合されるように構成される、第１の側を有する、項目１に記載のシステム。
（項目３）
前記第１の側は、前記アンカ要素を前記患者またはそれに隣接する外科手術器材に取り外し可能に取り付けるように構成される、接着剤を含む、項目２に記載のシステム。
（項目４）
前記接着剤は、テープを含む、項目３に記載のシステム。
（項目５）
前記アンカ要素は、前記照明要素に取り外し可能に結合される、項目１に記載のシステム。
（項目６）
前記アンカ要素は、フックまたはループ要素を含み、前記照明要素は、前記アンカ要素上のフックまたはループ要素と取り外し可能に結合するためのフックまたはループ要素を含む、項目１に記載のシステム。
（項目７）
前記アンカ要素は、前記患者または前記隣接する外科手術器材と取り外し可能に結合するためのクリップまたはフックを含む、項目１に記載のシステム。
（項目８）
前記アンカ要素または前記照明要素は、前記アンカ要素または前記照明要素の他方と取り外し可能に結合するための磁石を含む、項目１に記載のシステム。
（項目９）
前記アンカ要素は、前記照明要素と取り外し可能に結合するための１つまたはそれを上回るフックを含む、項目１に記載のシステム。
（項目１０）
前記アンカ要素は、ループを形成し、前記ループは、少なくとも部分的に、前記患者内の切開を包囲するように構成される、項目１に記載のシステム。
（項目１１）
開創器ブレードを有する外科手術開創器をさらに含み、前記アンカ要素は、前記外科手術開創器ブレードに取り付けられていない、項目１に記載のシステム。
（項目１２）
前記照明要素は、前記外科手術開創器に接触せずに、前記外科手術野内に配置されるように構成される、項目１１に記載のシステム。
（項目１３）
前記照明要素は、ＬＥＤ、ＯＬＥＤ、光ファイバケーブル、または非光ファイバ光学導波管である、項目１に記載のシステム。
（項目１４）
前記照明要素は、その遠位端に隣接する組織係合要素を含み、前記組織係合要素は、前記照明要素の遠位端を前記外科手術野内の組織に係留するように構成される、項目１に記載のシステム。
（項目１５）
前記組織係合要素は、フックまたは返しを含む、項目１４に記載のシステム。
（項目１６）
前記組織係合要素は、前記照明要素に取り外し可能に結合される、項目１４に記載のシステム。
（項目１７）
前記照明要素または前記アンカ要素に結合される撮像要素をさらに含み、前記撮像要素は、前記外科手術野の画像を提供するように構成される、項目１に記載のシステム。
（項目１８）
前記照明要素上またはその中に、煙または有害煙霧を前記外科手術野から除去するように構成される、吸引要素をさらに含む、項目１に記載のシステム。
（項目１９）
患者内の外科手術野を照明する方法であって、
アンカ要素および照明要素を提供するステップであって、前記照明要素は、前記アンカ要素に結合される、ステップと、
第１の位置において、前記アンカ要素を前記患者または隣接する外科手術器材に取り外し可能に取り付けるステップと、
前記照明要素を前記患者または前記隣接する外科手術器材から結合解除し、前記照明要素を前記第１の位置と異なる第２の位置に移動させるステップと、
前記照明要素を前記患者または前記隣接する外科手術器材に再結合するステップと、
前記外科手術野を前記照明要素からの光で照明するステップと、を含む、方法。
（項目２０）
前記アンカ要素を前記患者に取り外し可能に取り付けるステップは、前記アンカ要素を前記患者または前記隣接する外科手術器材に接着結合することを含む、項目１９に記載の方法。
（項目２１）
接着結合するステップは、前記アンカ要素を前記患者または前記隣接する外科手術器材にテープ留めすることを含む、項目２０に記載の方法。
（項目２２）
前記隣接する外科手術器材は、前記患者を覆って配置される外科手術ドレープを含む、項目１９に記載の方法。
（項目２３）
前記アンカ要素を取り外し可能に取り付けるステップは、前記アンカ要素を前記隣接する外科手術器材にクリップ留めまたはフック留めすることを含む、項目１９に記載の方法。
（項目２４）
前記照明要素を前記アンカ要素に取り外し可能に結合するステップをさらに含む、項目１９に記載の方法。
（項目２５）
前記照明要素を前記アンカ要素に取り外し可能に結合するステップは、フックおよびループ締結具で前記照明要素を前記アンカ要素に結合することを含む、項目２４に記載の方法。
（項目２６）
前記照明要素を前記アンカ要素に取り外し可能に結合するステップは、前記照明要素を前記アンカ要素に磁気により結合することを含む、項目２４に記載の方法。
（項目２７）
前記アンカ要素を取り外し可能に取り付けるステップは、前記アンカ要素が、少なくとも部分的に、前記患者内の切開を包囲するループを形成するように、前記アンカ要素を前記患者または前記隣接する外科手術器材に取り付けることを含む、項目１９に記載の方法。
（項目２８）
前記照明要素は、前記外科手術野内の他の外科手術器具に係合せずに、前記アンカ要素に結合される、項目１９に記載の方法。
（項目２９）
前記照明要素は、その遠位端に隣接する組織係合要素を含み、前記方法はさらに、前記組織係合要素と前記外科手術野内の組織を係合することによって、前記外科手術野内の照明要素の遠位端を係留するステップを含む、項目１９に記載の方法。
（項目３０）
前記組織係合要素は、前記照明要素に取り外し可能に結合される、項目２９に記載の方法。
（項目３１）
前記照明要素または前記アンカ要素に結合される撮像要素で前記外科手術野を撮像するステップをさらに含む、項目１９に記載の方法。
（項目３２）
煙霧または煙を前記外科手術野から排出させるステップをさらに含む、項目１９に記載の方法。
（項目３３）
張力を前記照明要素に印加するステップと、
前記照明要素の近位端を前記患者または前記隣接する外科手術器材に係留するステップと、
前記張力を維持するステップと、をさらに含む、項目２９に記載の方法。
（項目３４）
照明器を患者内の外科手術野に調節可能に位置付けるための照明システムであって、
近位部分および遠位部分を有する、後方遮蔽体と、
その近位部分に隣接する後方遮蔽体に結合される、アンカ要素であって、前記患者または隣接する外科手術器材に取り付けられるように構成される、アンカ要素と、
前記後方遮蔽体に結合される、照明要素であって、前記外科手術野を照明するように構成される、照明要素と、を含む、システム。
（項目３５）
前記後方遮蔽体の遠位部分に隣接する組織アンカ要素であって、前記外科手術野内の組織に係合するように構成される、組織アンカ要素をさらに含む、項目３４に記載のシステム。
（項目３６）
前記組織アンカ要素は、前記後方遮蔽体の遠位部分に取り外し可能に結合される、項目３５に記載のシステム。
（項目３７）
前記アンカ要素は、前記後方遮蔽体の近位部分に調節可能に結合される、ストラップであって、前記患者または隣接する外科手術器材に取り外し可能に結合されるように構成される、ストラップを含む、項目３４に記載のシステム。
（項目３８）
前記ストラップは、前記後方遮蔽体に固定して結合される、項目３７に記載のシステム。
（項目３９）
前記遠位部分は、開放チャネルを形成する一対のウィングを含み、前記チャネルは、前記照明要素を受容するようなサイズにされる、項目３４に記載のシステム。
（項目４０）
前記近位部分の近傍に配置される、ランプ要素であって、牽引力がそこに印加されるとき、後方遮蔽体の片持ち支持が前記外科手術野から外向きに離れないよう防止するように構成される、ランプ要素をさらに含む、項目３４に記載のシステム。
（項目４１）
前記ストラップは、前記後方遮蔽体の最近位端部に結合される、項目３４に記載のシステム。
（項目４２）
前記ストラップは、前記ストラップと前記患者を結合するための接着剤を備えた領域を含む、項目３４に記載のシステム。
（項目４３）
前記ストラップは、前記ストラップと前記患者または前記隣接する外科手術器材を結合するためのフックおよびループ締結具を備えた領域を含む、項目３４に記載のシステム。
（項目４４）
前記ストラップの遠位部分は、それ自体に重複し、重複領域を形成する、項目３４に記載のシステム。
（項目４５）
前記重複領域内のストラップは、それ自体に取り外し可能に結合される、項目４４に記載のシステム。
（項目４６）
前記重複領域内のストラップは、それ自体に固定して結合される、項目４４に記載のシステム。
（項目４７）
前記患者または前記隣接する外科手術器材に結合される、パッドであって、また、前記ストラップまたは前記後方遮蔽体にも結合される、パッドをさらに含む、項目３４に記載のシステム。
（項目４８）
前記照明要素または前記アンカ要素に結合される撮像要素であって、前記外科手術野の画像を提供するように構成される、撮像要素をさらに含む、項目３４に記載のシステム。
（項目４９）
前記照明要素上またはその中に、煙または有害煙霧を前記外科手術野から除去するように構成される、吸引要素をさらに含む、項目３４に記載のシステム。
（項目５０）
前記後方遮蔽体上またはその中に、煙または有害煙霧を前記外科手術野から除去するように構成される、吸引要素をさらに含む、項目３４に記載のシステム。
（項目５１）
前記後方遮蔽体に熱的に結合される、ヒートシンクをさらに含む、項目３４に記載のシステム。
（項目５２）
前記後方遮蔽体は、前記後方遮蔽体による熱の吸収を低減させるように研磨または色を薄くした表面を含む、項目３４に記載のシステム。
（項目５３）
前記後方遮蔽体は、その熱伝導性を増加させるためのめっきの層を含む、項目３４に記載のシステム。
（項目５４）
前記後方遮蔽体と前記照明要素との間に配置される、断熱障壁をさらに含む、項目３４に記載のシステム。
（項目５５）
前記断熱障壁は、フッ素化エチレンプロピレン（ＦＥＰ）を含む、項目５４に記載のシステム。
（項目５６）
患者内の外科手術野を照明する方法であって、
後方遮蔽体を提供するステップと、
前記患者または隣接する外科手術器材に前記後方遮蔽体の近位部分を係留するステップと、
照明要素を前記後方遮蔽体に結合するステップと、
前記外科手術野を前記照明要素からの光で照明するステップと、
を含む、方法。
（項目５７）
張力を前記後方遮蔽体に印加するステップをさらに含む、項目５６に記載の方法。
（項目５８）
前記外科手術野内の組織に前記後方遮蔽体の遠位部分を係留するステップをさらに含む、項目５６に記載の方法。
（項目５９）
前記遠位部分を係留するステップは、アンカ要素と前記組織を係合することを含む、項目５８に記載の方法。
（項目６０）
前記近位部分を係留するステップは、ストラップを前記後方遮蔽体の近位部分に結合することを含む、項目５６に記載の方法。
（項目６１）
前記近位部分を係留するステップは、前記ストラップと前記患者または前記外科手術器材を接着して結合することを含む、項目６０に記載の方法。
（項目６２）
前記近位部分に係留するステップは、フックおよびループ締結具を使用することによって、前記ストラップと前記患者または前記外科手術器材を取り外し可能に結合することを含む、項目６０に記載の方法。
（項目６３）
前記近位部分を係留するステップは、前記ストラップをパッドに結合することを含み、前記パッドは、前記患者または前記隣接する外科手術器材に結合されている、項目６０に記載の方法。
（項目６４）
前記近位部分を係留するステップは、前記近位部分をパッドに結合することを含み、前記パッドは、前記患者または前記隣接する外科手術器材に結合されている、項目５６に記載の方法。
（項目６５）
前記ストラップ内の長さまたは張力を調節するステップをさらに含む、項目６０に記載の方法。
（項目６６）
前記アンカ要素または前記照明要素に結合される撮像要素で前記外科手術野を撮像するステップをさらに含む、項目５６に記載の方法。
（項目６７）
煙霧または煙を前記外科手術野から排出させるステップをさらに含む、項目５６に記載の方法。
（項目６８）
ヒートシンクで前記後方遮蔽体から熱を除去するステップをさらに含む、項目５６に記載の方法。
（項目６９）
前記後方遮蔽体から熱を除去し、それによって、前記後方遮蔽体または前記照明要素のピーク温度を４１℃未満に維持するステップをさらに含む、項目５６に記載の方法。
（項目７０）
前記後方遮蔽体上に研磨または色を薄くした表面を提供することによって、前記後方遮蔽体からの熱の吸収を低減させるステップをさらに含む、項目５６に記載の方法。
（項目７１）
前記後方遮蔽体上にめっきの層を提供することによって、前記後方遮蔽体の熱伝導性を増加させるステップをさらに含む、項目５６に記載の方法。
（項目７２）
前記後方遮蔽体と前記照明要素との間に配置される断熱障壁を提供することによって、前記後方遮蔽体から熱を遮断するステップをさらに含む、項目５６に記載の方法。
（項目７３）
前記後方遮蔽体を係留解除するステップと、
前記後方遮蔽体を前記外科手術野内の新しい位置に再位置付けするステップと、
前記後方遮蔽体を前記外科手術野内に再係留するステップと、
前記新しい位置を前記照明要素からの光で照明するステップと、をさらに含む、項目５６に記載の方法。
（項目７４）
患者内の外科手術野を撮像するための方法であって、
アンカ要素または後方遮蔽体を提供するステップと、
撮像要素を前記アンカ要素または前記後方遮蔽体に結合するステップと、
前記アンカ要素または前記後方遮蔽体を前記患者または隣接する外科手術器材に係留するステップと、
前記撮像要素で前記外科手術野の画像を提供するステップと、を含む、方法。
（項目７５）
外科手術ツールを患者内の外科手術野内に調節可能に位置付けるための照明システムであって、
近位部分および遠位部分を有する、後方遮蔽体であって、前記外科手術ツールに取り外し可能に結合されるように構成される結合機構を有する、後方遮蔽体と、
その近位部分に隣接する後方遮蔽体に結合される、アンカ要素であって、前記患者または隣接する外科手術器材に取り付けられるように構成される、アンカ要素と、を含む、システム。
（項目７６）
前記後方遮蔽体の遠位部分に隣接する組織アンカ要素であって、前記外科手術野内の組織に係合するように構成される、組織アンカ要素をさらに含む、項目７５に記載のシステム。
（項目７７）
前記組織アンカ要素は、前記後方遮蔽体の遠位部分に取り外し可能に結合される、項目７６に記載のシステム。
（項目７８）
前記アンカ要素は、前記後方遮蔽体の近位部分に調節可能に結合される、ストラップであって、前記患者または隣接する外科手術器材に取り外し可能に結合されるように構成される、ストラップを含む、項目７５に記載のシステム。
（項目７９）
前記ストラップは、前記後方遮蔽体に固定結合される、項目７８に記載のシステム。
（項目８０）
前記遠位部分は、開放チャネルを形成する一対のウィングを含み、前記チャネルは、前記外科手術ツールを受容するようなサイズにされる、項目７５に記載のシステム。
（項目８１）
前記外科手術ツールは、照明要素または撮像要素を含む、項目７５に記載のシステム。
（項目８２）
前記近位部分の近傍に配置される、ランプ要素であって、牽引力がそこに印加されるとき、後方遮蔽体の片持ち支持が前記外科手術野から外向きに、かつ離れないよう防止するように構成される、ランプ要素をさらに含む、項目７５に記載のシステム。
（項目８３）
前記ストラップは、前記後方遮蔽体の最近位端部に結合される、項目７５に記載のシステム。
（項目８４）
前記ストラップは、前記ストラップと前記患者を結合するための接着剤を備える領域を含む、項目７５に記載のシステム。
（項目８５）
前記ストラップは、前記ストラップと前記患者または前記隣接する外科手術器材を結合するためのフックおよびループ締結具を伴う領域を含む、項目７５に記載のシステム。
（項目８６）
前記ストラップの遠位部分は、それ自体に重複し、重複領域を形成する、項目７５に記載のシステム。
（項目８７）
前記重複領域内のストラップは、それ自体に取り外し可能に結合される、項目８６に記載のシステム。
（項目８８）
前記重複領域内のストラップは、それ自体に固定して結合される、項目８６に記載のシステム。
（項目８９）
前記患者または前記隣接する外科手術器材に結合される、パッドであって、また、前記ストラップまたは前記後方遮蔽体にも結合される、パッドをさらに含む、項目７５に記載のシステム。
（項目９０）
前記後方遮蔽体または前記外科手術ツールに結合される、撮像要素であって、前記外科手術野の画像を提供するように構成される、撮像要素をさらに含む、項目７５に記載のシステム。
（項目９１）
前記後方遮蔽体、または煙または有害煙霧を前記外科手術野から除去するように構成される外科手術ツール上またはその中に、吸引要素をさらに含む、項目７５に記載のシステム。
（項目９２）
前記後方遮蔽体に熱的に結合される、ヒートシンクをさらに備える、項目７５に記載のシステム。
（項目９３）
前記後方遮蔽体は、前記後方遮蔽体による熱の吸収を低減させるように研磨または色を薄くした表面を含む、項目７５に記載のシステム。
（項目９４）
前記後方遮蔽体は、その熱伝導性を増加させるためのめっきの層を含む、項目７５に記載のシステム。
（項目９５）
前記後方遮蔽体と前記外科手術ツールとの間に配置される、断熱障壁をさらに含む、項目７５に記載のシステム。
（項目９６）
前記断熱障壁は、フッ素化エチレンプロピレン（ＦＥＰ）を含む、項目９５に記載のシステム。